(57)【特許請求の範囲】
【請求項１】
自動販売機の本体外箱にヒンジによって開閉自在に支持された外扉の当該ヒンジ近傍の角部に配設され、かつ、前記本体外箱の側面補強板に形成された係合穴に一部を挿通された防盗板を備えて、前記外扉を手前にこじ開けようとするときに、前記防盗板の一部が前記係合穴の周縁部に当接するようにした自動販売機の防盗構造であって、
自動販売機の高さ方向中央部付近であってヒンジの回動中心軸を含む側の外扉の側面部に設けられ、外扉こじ開け手段の進入を阻止する中央防盗板と、
側面補強板の前記中央防盗板と対向する位置に付勢手段を介して設けられた付勢係合板と、
を備え、
前記中央防盗板および前記付勢係合板に互いに係合可能な係合部をそれぞれ設け、前記外扉を手前にこじ開けようとするときに、前記付勢手段によって前記付勢係合板の姿勢が変化し、当該付勢係合板の係合部と前記中央防盗板の係合部とが常に係合するようにしたことを特徴とする自動販売機の防盗構造。
【請求項２】
付勢手段を板バネとしたことを特徴とする請求項１に記載の自動販売機の防盗構造。
【発明の詳細な説明】
【０００１】
【発明の属する技術分野】
この発明は、自動販売機の防盗構造に関し、さらに詳しくは、外扉のヒンジを切断され、バール等によって当該外扉をこじ開けようとする不正行為を有効に阻止できる自動販売機の防盗構造に関する。
【０００２】
【従来の技術】
自動販売機は、一般に、本体外箱の前面開口部が外扉で閉塞され、この外扉はヒンジにより側開き式に開閉自在に支持された構成となっている。また、商品購入者によって挿入された紙幣を貯留するビルバリデータは、外扉の紙幣挿入口の背面側に設けられており、外扉の一端側に形成された上記ヒンジ形成部と反対側に位置する他端側に配設されている。
【０００３】
また、外扉のロック手段も当該他端側に設けられている。この外扉のロック手段は、ビルバリデータ等の防盗行為に対抗すべく、堅牢に形成されているため、上記ヒンジ側から外扉の破壊行為が行われるようになってきており、かかる防盗行為を阻止すべく、種々の技術手段が提供されている。
【０００４】
図１１は、本願出願人にかかる特開平１１−２５３３９号公報に開示された従来の自動販売機の防盗構造を示す横断面図、図１２は、図１１における防盗板を示す斜視図である。この従来の自動販売機の防盗構造は、自動販売機の本体外箱１０１側の側面補強板１０１ａと係合させ、バール等による外扉１０２の持ち上げを防止する防盗板１０４を、外扉１０２の扉枠１０２ａの曲げ残しにより扉枠１０２ａと一体形成したものである。
【０００５】
この防盗板１０４は、側面補強板１０１ａに形成された図示しない角穴に挿入してこれと係合させてある。ヒンジ１０３は、本体外箱１０１側の直立する支軸１０３ａと、これにはめ込まれた外扉１０２側の円筒状の軸受１０３ｂとからなっている。
【０００６】
したがって、外扉１０２のヒンジ１０３近傍をバール等で持ち上げて、軸受１０３ｂを支軸１０３ａから抜き出そうとすると、防盗板１０４の上端面が側面補強板１０１ａの図示しない角穴の上端縁に当たり、持ち上げが阻止されるようになっている。
【０００７】
【発明が解決しようとする課題】
しかしながら、従来の自動販売機の防盗構造は、外扉１０２のヒンジ１０３近傍をバール等で持ち上げて軸受１０３ｂを支軸１０３ａから抜き出そうとする行為、すなわち、外扉１０２を持ち上げる行為には、上記防盗板１０４によってある程度対抗できるものの、ヒンジ１０３の支軸１０３ａ自体を切断され、外扉１０２を手前側にこじ開ける行為には、対抗し難いという問題点があった。
【０００８】
また、上記行為とあいまって、ヒンジ１０３が設けられている側の外扉１０２の高さ方向中央部付近にバール等を突っ込んでこじ開け、当該部分に隙間を形成し、ここからさらに手前側に外扉１０２をこじ開けることで、上記防盗板１０４が無力化されてしまい、外扉１０２を完全にこじ開けられてしまうという問題点があった。
【０００９】
この発明は、上記に鑑みてなされたものであって、外扉のヒンジを切断され、バール等によって当該外扉をこじ開けようとする行為も有効に阻止できる自動販売機の防盗構造を提供することを目的とする。
【００１０】
【課題を解決するための手段】
上述の目的を達成するために、この発明にかかる自動販売機の防盗構造は、自動販売機の本体外箱にヒンジによって開閉自在に支持された外扉の当該ヒンジ近傍の角部に配設され、かつ、前記本体外箱の側面補強板に形成された係合穴に一部を挿通された防盗板を備え、前記外扉を手前にこじ開けようとするときに、前記防盗板の一部が前記係合穴の周縁部に当接するようにしたものである。
【００１１】
外扉のヒンジ近傍をバール等で持ち上げて、当該ヒンジの軸受を支軸から抜き出そうとすると、前記防盗板の一部が前記係合穴の上端縁に当接し、持ち上げを阻止する。そしてさらに、ヒンジの支軸を切断して外扉を手前側にこじ開けようとする場合であっても、当該防盗板の一部が当該係合穴の側端縁に当接し、これを阻止する。防盗板は、外扉の強度的に最も強い角部に設けられており、当該部分はよりいっそう破壊されにくくなっているので、こじ開け行為を効果的に阻止できる。
【００１２】
そして、この発明の請求項１にかかる自動販売機の防盗構造は、自動販売機の高さ方向中央部付近であってヒンジの回動中心軸を含む側の外扉の側面部に設けられ、外扉こじ開け手段の進入を阻止する中央防盗板と、側面補強板の前記中央防盗板と対向する位置に付勢手段を介して設けられた付勢係合板とを備え、前記中央防盗板および前記付勢係合板に互いに係合可能な係合部をそれぞれ設け、前記外扉を手前にこじ開けようとするときに、前記付勢手段によって前記付勢係合板の姿勢が変化し、当該付勢係合板の係合部と前記中央防盗板の係合部とが常に係合するようにしたものである。
【００１３】
中央防盗板がバール等の奥への進入を阻止し、外扉のこじ開け行為を行いにくくする。そして、さらにこじ開け行為が続行されると、付勢係合板が付勢手段によって内方に付勢されるので、このこじ開けに追従して、付勢係合板の係合部が、中央防盗板の係合部と常に対向することとなる。したがって、本体外箱と外扉との間の隙間を大きくしてから、外扉を手前にこじ開けようとしても、両係合部が互いに係合して、それ以上のこじ開け行為を阻止する。
【００１４】
また、この発明の請求項２にかかる自動販売機の防盗構造は、付勢手段を板バネとしたものである。したがって、簡易かつ安価に付勢係合板を付勢できる。
【００１５】
【発明の実施の形態】
以下、この発明にかかる自動販売機の防盗構造の実施の形態につき図面を参照しつつ詳細に説明する。なお、この実施の形態によりこの発明が限定されるものではない。
【００１６】
図１は、この発明の実施の形態にかかる自動販売機の防盗構造の上部防盗板を示す横断面図であり、図２および図５におけるＡ−Ａ断面を示すものである。図２は、自動販売機を示す正面図、図３は、自動販売機を示す平面図、図４は、自動販売機を示す側面図、図５は、外扉の上部ヒンジ部近傍を示す拡大正面図、図６は、図５のＢ−Ｂ断面図、図７は、自動販売機の高さ方向中央部に形成した防盗構造を示す横断面図であり、図２のＣ−Ｃ断面を示すものである。図８は、バール等によって外扉をこじ開けようとする場合に作用する中央防盗板および付勢係合板の様子を示す横断面図である。
【００１７】
先ず、自動販売機の全体構成の概略について図２〜図４に基づいて説明する。この自動販売機は、本体外箱１の前面開口部が外扉２で閉塞され、この外扉２はヒンジ３により側開き式に開閉自在に支持された構成となっている。このヒンジ３は、本体外箱１側のプレート５に垂設された支軸と、これにはめ込まれた外扉２側の円筒状の軸受とからなっている。なお、同図においては、外扉２上部に設けたヒンジ３のみを図示しているが、外扉２下部にも図示しないヒンジや、外扉２を開けたときに所定の開度を維持するための図示しない外扉ストッパが設けられている。また、図３、図５、図６においては、プレート５の記載を省略している。
【００１８】
また、商品購入者によって挿入された紙幣を貯留するビルバリデータ７は、外扉２における紙幣挿入口６の背面側に設けられており、外扉２の一端側（図２における左側）に形成された上記ヒンジ３形成部と反対側に位置する他端側（図２における右側）に配設されている。また、外扉２の図示しないロック手段も当該他端側に設けられている。なお、外扉２の前面上部の商品ディスプレイ８ａには、電照板等によって商品が表示されているとともに、商品選択ボタンや売り切れランプ等が設けられている。また、外扉２の前面下部には、商品取り出し口８ｂが設けられている。
【００１９】
つぎに、本発明の要部たる防盗板４について説明する。図１〜図６に示すように、鉄製の防盗板４は、ヒンジ３が形成されている外扉２の角部に溶接固定されており、外扉２前面側に傾斜させた舌片部４ａを備えている。この舌片部４ａは、本体外箱１の内側面を補強する側面補強板１ａに角穴として設けられた係合穴１ｂに挿入されており、これら舌片部４ａおよび係合穴１ｂは、外扉２の開閉時にその開閉動作を妨げないように形成されている。
【００２０】
また、舌片部４ａおよび係合穴１ｂは、外扉２のヒンジ３近傍をバール等で持ち上げて、当該ヒンジ３の図示しない軸受を支軸から抜き出そうとすると、舌片部４ａが係合穴１ｂの上端縁に当接し、持ち上げを阻止できるように形成されている。そしてさらに、舌片部４ａおよび係合穴１ｂは、ヒンジ３の図示しない支軸を切断して外扉２を手前側にこじ開けるようとする場合であっても、舌片部４ａが係合穴１ｂの側端縁に当接し、これを阻止できるように形成されている。
【００２１】
つぎに、本発明の要部たる自動販売機の高さ方向中央部に形成した防盗構造について、図７および図８に基づいて説明する。この防盗構造は、自動販売機の高さ方向中央部であって、外扉２の上記ロック手段が設けられていない部分が、強度的に弱く、破壊対象箇所とされやすいことに鑑みて形成したものである。側面補強板１ａには、段部１ｃが設けられており、後述する付勢係合板１０の係合部１０ｂを係止できるようになっている。
【００２２】
鉄製の中央防盗板９は、バール１３等の奥への進入を阻止するとともに（図８参照）、外扉２が手前にこじ開けられようとする場合に、係合部９ａによって、後述する付勢係合板１０の係合部１０ａを係止し、当該こじ開け行為を阻止するためのものである。この中央防盗板９は、外扉２の高さ方向中央部の内側面に溶接固定されている。
【００２３】
また、鉄製の付勢係合板１０は、断面をほぼクランク状に形成され、両端に係合部１０ａおよび係合部１０ｂを備えている。この係合部１０ａは、上記こじ開け行為時に、中央防盗板９の係合部９ａと係合可能に形成されている。また、係合部１０ｂは、上記段部１ｃと係合し、付勢係合板１０の位置ずれ等を防止するためのものである。
【００２４】
このような付勢係合板１０は、板バネ１１を介して複数のネジ１２（たとえば、図８の紙面垂直方向に２〜３本使用）によって側面補強板１ａに固定されており、図８に示すように、当該板バネ１１によって内方（図中の矢印方向）に付勢されている。
【００２５】
つぎに、外扉２のこじ開け行為時における防盗板４および中央防盗板９等の作用について説明する。図１に示すように、外扉２のヒンジ３近傍をバール等で持ち上げて、当該ヒンジ３の図示しない軸受を支軸から抜き出そうとすると、舌片部４ａが係合穴１ｂの上端縁に当接し、持ち上げを阻止する。そしてさらに、ヒンジ３の図示しない支軸を切断して外扉２を手前側にこじ開けるようとする場合であっても、舌片部４ａが係合穴１ｂの側端縁に当接し、これを阻止する。防盗板４は、外扉２の強度的に最も強い角部に設けられており、当該部分はよりいっそう破壊されにくくなっているので、こじ開け行為を効果的に阻止できる。
【００２６】
つぎに、自動販売機の高さ方向中央部（外扉２の上記ロック手段が設けられていない部分）での防盗作用について説明する。図８に示すように、中央防盗板にが、バール１３等の奥への進入を阻止し、外扉２のこじ開け行為を行いにくくする。そして、さらにこじ開け行為が続行されると、付勢係合板１０が板バネ１１によって内方（図中の矢印方向）に付勢されているので、このこじ開けに追従して係合部１０ａが内方に移動し、中央防盗板９の係合部９ａと常に対向することとなる。したがって、本体外箱１と外扉２との間の隙間を大きくしてから、外扉２を手前にこじ開けようとしても、係合部９ａと係合部１０ａとが係合して、それ以上のこじ開け行為を阻止できる。
【００２７】
このようにヒンジ３が切断された場合であっても、自動販売機の上部においては、防盗板４によって防盗性が担保され、自動販売機の比較的強度の弱い高さ方向中央部においても、中央防盗板９および付勢係合板１０等によって防盗性が担保される。
【００２８】
以上のように、この実施の形態にかかる自動販売機の防盗構造によれば、外扉２のヒンジ３を切断され、バール１３等によって当該外扉２を持ち上げる行為のみならず、手前側にこじ開けようとする行為も有効に阻止できる。
【００２９】
すなわち、自動販売機の上部においては、上記防盗板４によって、持ち上げ行為および手前方向へのこじ開け行為について防盗性を担保でき、自動販売機の比較的強度の弱い高さ方向中央部においては、中央防盗板９および付勢係合板１０等によって、手前方向へのこじ開け行為について防防盗性を担保できる。
【００３０】
特に、防盗板４は、外扉２の強度的に最も強い角部に設けられており、当該部分はよりいっそう破壊されにくくなっているので、こじ開け行為を効果的に阻止できる。
【００３１】
なお、上記実施の形態においては、板バネ１１によって付勢係合板１０を付勢するものとして説明したが、これに限定されず、たとえば、図９および図１０に示すように、ヒンジ部２０ｂによって回動自在に形成された付勢係合板２０をネジ２２によって段部１ｃに固定し、スプリング２１によって付勢するように形成してもよく、上記と同様の効果を期待できる。なお、スプリング２１の他端（図示せず）は、側面補強板１ａに固定されている。ここで、図９は、自動販売機の高さ方向中央部に形成した他の防盗構造を示す横断面図、図１０は、バール等によって外扉をこじ開けようとする場合に作用する中央防盗板および他の付勢係合板の様子を示す横断面図である。
【００３２】
また、別部材としての防盗板４および中央防盗板９を外扉２に溶接するものとして説明したが、これに限定されず、外扉２の一部を切り起こし、あるいは曲げ残し等によって、外扉２と一体形成してもよい。これにより、部品点数および組立工数の低減を図ることができる。
【００３３】
さらに、上記実施の形態においては、防盗板４を外扉２の上部のヒンジ３近傍に設けるものとして説明したが、これに限定されず、外扉２の下部のヒンジ（図示せず）近傍にも設けてもよい。これにより、さらに防盗性を高めることができる。
【００３４】
また、自動販売機の上部のみならず、高さ方向中央部にも防盗構造を形成するものとして説明したが、当該高さ方向中央部分の強度を担保できれば、必ずしも当該部分に中央防盗板９等を形成する必要はなく、自動販売機の上部のみに防盗板４を形成してもよい。
【００３５】
【発明の効果】
以上説明したように、この発明にかかる自動販売機の防盗構造によれば、自動販売機の本体外箱にヒンジによって開閉自在に支持された外扉の当該ヒンジ近傍の角部に配設され、かつ、前記本体外箱の側面補強板に形成された係合穴に一部を挿通された防盗板を備え、前記外扉を手前にこじ開けようとするときに、前記防盗板の一部が前記係合穴の周縁部に当接するようにしたので、ヒンジを切断され、バール等によって外扉を持ち上げる行為のみならず、手前側にこじ開けようとする行為も有効に阻止できる。
【００３６】
また、この発明にかかる自動販売機の防盗構造（請求項１）によれば、自動販売機の高さ方向中央部付近であってヒンジの回動中心軸を含む側の外扉の側面部に設けられ、外扉こじ開け手段の進入を阻止する中央防盗板と、側面補強板の前記中央防盗板と対向する位置に付勢手段を介して設けられた付勢係合板とを備え、前記中央防盗板および前記付勢係合板に互いに係合可能な係合部をそれぞれ設け、前記外扉を手前にこじ開けようとするときに、前記付勢手段によって前記付勢係合板の姿勢が変化し、当該付勢係合板の係合部と前記中央防盗板の係合部とが常に係合するようにしたので、外扉を手前にこじ開けようとしても、両係合部が互いに係合して、それ以上のこじ開け行為を効果的に阻止できる。
【００３７】
また、この発明にかかる自動販売機の防盗構造（請求項２）によれば、付勢手段を板バネとしたので、簡易かつ安価に付勢係合板を付勢できる。
【図面の簡単な説明】
【図１】この発明の実施の形態にかかる自動販売機の防盗構造の上部防盗板を示す横断面図である。
【図２】自動販売機を示す正面図である。
【図３】自動販売機を示す平面図である。
【図４】自動販売機を示す側面図である。
【図５】外扉の上部ヒンジ部近傍を示す拡大正面図である。
【図６】図５のＢ−Ｂ断面図である。
【図７】自動販売機の高さ方向中央部に形成した防盗構造を示す横断面図である。
【図８】バール等によって外扉をこじ開けようとする場合に作用する中央防盗板および付勢係合板の様子を示す横断面図である。
【図９】自動販売機の高さ方向中央部に形成した他の防盗構造を示す横断面図である。
【図１０】バール等によって外扉をこじ開けようとする場合に作用する中央防盗板および他の付勢係合板の様子を示す横断面図である。
【図１１】特開平１１−２５３３９号公報に開示された従来の自動販売機の防盗構造を示す横断面図である。
【図１２】図１１における防盗板を示す斜視図である。
【符号の説明】
１  本体外箱
１ａ  側面補強板
１ｂ  係合穴
２  外扉
３  ヒンジ
４  防盗板
４ａ  舌片部
９  中央防盗板
９ａ、１０ａ、１０ｂ、２０ａ  係合部
１０、２０  付勢係合板
１１  板バネ
１２、２２  ネジ
１３  バール
２０ｂ  ヒンジ部
２１  スプリング
【図１】
0003777911.tif 000002
【図２】
0003777911.tif 000003
【図３】
0003777911.tif 000004
【図４】
0003777911.tif 000005
【図５】
0003777911.tif 000006
【図６】
0003777911.tif 000007
【図７】
0003777911.tif 000008
【図８】
0003777911.tif 000009
【図９】
0003777911.tif 000010
【図１０】
0003777911.tif 000011
【図１１】
0003777911.tif 000012
【図１２】
0003777911.tif 000013